(57)【要約】      （修正有）【課題】ヘアーアイロンで髪をカールしたり、梳かしたりするどちらの場合でも、髪に十分にマイナスイオンを行き渡らせることができるようにする。【解決手段】ヘアーアイロンのハンドル１１に内蔵した高電圧発生手段１９のグランド出力と、前記ハンドル１１と直列に形成された髪を巻き付ける発熱部１０の円筒２１とを接続する。一方、高電圧発生手段１９の高電圧出力と接続した針状の電極２０を前記円筒断面の略中央に配置して円筒２１の内周と対向させる。また、前記針先と対向する円筒２１に複数のスリット２３を設けて、スリット２３を介してマイナスイオン３２を放出するようにすることで、巻き付けた髪の内側から外側へとマイナスイオン３２が広がり、髪全体にマイナスイオン３２を行き渡らせることができる。また、髪を梳かすようにして発熱面１３を髪に当てた場合でも、マイナスイオン３２を放出するので、髪全体に行き渡らせることができる。【選択図】図２
2006204369.tif 000002
【特許請求の範囲】
【請求項１】
髪を巻き付ける発熱面を周囲に形成した金属製で円筒形の発熱部と直列に設けた棒状のハンドル内に、高電圧発生手段を備えるとともに、前記高電圧発生手段のグランド出力を前記発熱部の円筒と接続し、一方、高電圧発生手段の高電圧出力と接続した針状の電極を発熱部の円筒内に配置して円筒の内周と対向させて配置し、その円筒内に配置した針電極の針先と対向する円筒の発熱面に複数のスリットあるいは貫通孔を設けたヘアーアイロン。
【請求項２】
上記針状の電極の針先をｎ（ｎ≧２）本とし、そのｎ本の針先を（３６０°／ｎ）度の間隔で、各針先が円筒の内周と対向するように円筒断面の略中央に配置するとともに、その針先と対向する円筒の発熱面に複数のスリットあるいは貫通孔を周方向に沿って設けた請求項１に記載のヘアーアイロン。
【発明の詳細な説明】
【技術分野】
【０００１】
この発明は、マイナスイオン発生手段を備えたヘアーアイロンに関するものである。
【背景技術】
【０００２】
マイナスイオンは、空気を清浄にして、身体をリラックスさせるなどの効果があるといわれている。また、多量のマイナスイオンは、髪に当てれば、髪の損傷を抑えるとともに、髪をサラサラにしてセットをやりやすくすると同時に、セットの持ちも良くなるなどの効果があると言われている。
【０００３】
そのため、「特許文献１」には、マイナスイオンを発生するヘアーアイロンが記載されている。
【０００４】
このヘアーアイロンは、図７に示すように、髪を巻き付ける発熱面を周囲に形成した円筒形の発熱部１と直列に棒状のハンドル２を設けたもので、前記棒状のハンドル２内には高電圧発生手段（図示せず）とその高電圧発生手段に接続された放電電極（図示せず）を備えている。また、その放電電極で発生したマイナスイオンは、前記ハンドル２に設けた放出口（一箇所）３から発熱部１に向けて放出するようになっている。
【特許文献１】特開２００３−２７５０１３号公報
【発明の開示】
【発明が解決しようとする課題】
【０００５】
しかしながら、上記のヘアーアイロンでは、ハンドル部分に設けた一箇所の放出口からマイナスイオンを放出するようにしているので、例えば、髪を伸ばすために発熱面で髪を梳かすようにすれば髪全体にマイナスイオンを行き渡らせることができるが、発熱面に髪を巻き付けてカールをする場合は、放出口からのマイナスイオンの大部分は、巻き付けた外側の髪の、しかも、その髪の表面にしか当たらない。そのため、熱のダメージを最も受ける発熱面に直接巻き付けられた一番内側の髪にまで十分にマイナスイオンを行き渡らせることのできない問題がある。
【０００６】
そこで、この発明の課題は、例えば、髪をカールしたり、髪を梳かしたりする場合に係わらず、髪に十分にマイナスイオンを行き渡らせることができるようにすることである。
【課題を解決するための手段】
【０００７】
上記の課題を解決するため、この発明では、髪を巻き付ける発熱面を周囲に形成した金属製で円筒形の発熱部と直列に設けた棒状のハンドル内に、高電圧発生手段を備えるとともに、前記高電圧発生手段のグランド出力を前記発熱部の円筒と接続し、一方、高電圧発生手段の高電圧出力と接続した針状の電極を発熱部の円筒内に配置して円筒の内周と対向させて配置し、その円筒内に配置した針電極の針先と対向する円筒の発熱面に複数のスリットあるいは貫通孔を設けた構成を採用したのである。
【０００８】
このような構成を採用したことにより、高電圧発生手段のグランド出力と接続した発熱部の円筒と、高電圧発生手段の高電圧出力と接続した針電極とで放電電極を形成する。その際、グランド極に円筒を用いるようにしたので電極を簡略化できる。このとき、発生したマイナスイオンは、円筒に設けた複数のスリットや貫通孔から放出されるので、例えば、梳かすように使用した場合を始め、髪を発熱面に巻き付けた場合でも（巻き付けた髪の内側から外側へとマイナスイオンが広がるので）髪全体にマイナスイオンを行き渡らせることができる。
【０００９】
また、その際、上記針状の電極の針先をｎ（ｎ≧２）本とし、そのｎ本の針先を（３６０°／ｎ）度の間隔で、各針先が円筒の内周と対向するように円筒断面の略中央に配置するとともに、その針先と対向する円筒の発熱面に複数のスリットあるいは貫通孔を周方向に沿って設けた構成を採用することができる。
【００１０】
このような構成を採用したことにより、ｎ（ｎ≧２）本の針電極の針先をそれぞれ（３６０°／ｎ）度の間隔で、円筒断面の略中央に配置して円筒の内周と対向させたので、円筒の内周と、その内周と対向したそれぞれの針先との間でマイナスイオンを発生することになるので、多量のマイナスイオンを発生することができる。また、発生したマイナスイオンは、円筒に設けた複数のスリットや貫通孔から周に沿って放出されるので、例えば、梳かすように使用した場合を始め、髪を発熱面に巻き付けた場合でも（巻き付けた髪の内側から外側へとマイナスイオンが広がるので）髪全体にマイナスイオンを十分に行き渡らせることができる。
【発明の効果】
【００１１】
この発明は、上記のように構成したことにより、髪に十分にマイナスイオンを行き渡らせることができる。
【発明を実施するための最良の形態】
【００１２】
以下、図面に基づいてこの発明の最良の実施の形態を説明する。
【００１３】
図１で示すように、この形態のヘアーアイロンは、円筒形の発熱部１０と直列に棒状のハンドル１１を設けるとともに、前記ハンドル１１にコテ板１２を取り付けた構造となっている。
【００１４】
棒状のハンドル１１は、樹脂製のもので、この形態では、発熱部側を先端方向として後端側より大径として持ちやすくしてある。また、そのハンドル１１の先端部に切欠を設けて、前記コテ板１２を取り付けるようになっている。
【００１５】
すなわち、コテ板１２は、コテ面１２ａとレバー部１２ｂとからなり、コテ面１２ａは、断面形状を円弧に形成し、発熱部１０の円筒形の発熱面１３にピッタリと重なるように形成されている。また、前記レバー部１２ｂは、図示はしていないが、前記ハンドル１１の切欠に回動自在に取り付けられており、例えば切欠内にスプリングによる付勢手段を設けて、コテ面１２ａを発熱部１０の発熱面１３に圧接するようにしてある。
【００１６】
一方、ハンドル１１の後端部には、図２のように電極１４を設けて電源コード１５を取り付けてある。
【００１７】
前記電極１４は、例えば、リング状の電極を備えたもので、前記リング電極と電源コード１５に設けたピンプラグ状のコネクタを接続することにより、ハンドル１１の後端から取り出された電源コード１５を軸方向に対して旋回可能にしている。
【００１８】
また、ハンドル１１の中程には、電源スイッチ１６とマイナスイオン発生スイッチ１７が設けられている。前記電源スイッチ１６は、図３に示すように、発熱部１０のヒーター（後述する）１８をオン・オフし、マイナスイオン発生スイッチ１７は、ハンドル１１の内部に設けられた高電圧発生手段１９をオン・オフするためのものである。
【００１９】
高電圧発生手段１９は、例えばＡＣ１００Ｖから（−５）ＫＶ程度の高電圧を発生できるものであればどのようなものでもよく、例えば図３のように、トランス回路にトリガダイオードを接続した周知の簡便な高電圧回路を使用することができる。
【００２０】
この高電圧発生手段１９のグランド側出力は図３のように回路のグランドラインＧＮＤと接続している（ちなみに、このグランドラインＧＮＤは、後述するように発熱部１０の円筒２１と接続される）。一方、高電圧発生手段１９の高電圧側の出力は発熱部１０の針状の電極（以後、針電極）２０と接続する。
【００２１】
発熱部１０は、図１と図２に示すように、発熱面１３を形成する円筒（パイプ）２１と、その内部に設けられたヒーターユニット２２と針電極（先に述べた）２０とで構成される。
【００２２】
円筒２１は、金属製のもので、この形態では、図１で示すように、円筒２１の先端部側に複数のスリット２３が等間隔で周方向に設けられている。なお、ここでは円筒２１の周方向に沿ってスリット２３を設けたが、スリット２３に限定されるものではない。スリット２３以外でも円筒２１を貫通していればよいので、例えば、貫通孔のようなものでも構わない。
【００２３】
ヒーターユニット２２は、図４に示すように、ＰＴＣヒーター１８、放熱板２４、耐熱製の絶縁フィルム２５及び電極３３とで構成したもので、ペレット状のＰＴＣヒーター１８をマイカなどで形成した絶縁性の基板２６に取り付けたものである。
【００２４】
すなわち、ペレット状のヒーター１８を、例えば図４に示すように、前記基板２６に設けた取り付け孔に嵌入し、嵌入したヒーター１８の両側を絶縁フィルム２５で被う。このとき、ヒーター１８と電源スイッチ１６とを結線するための電極３３をヒーター１８とフィルム２５の間に予め挟んでおく（フィルム２５上に電極パターン形成しておいても可）。こののち、放熱板２４を嵌めてハトメで固定する。
【００２５】
放熱板２４は、図４のようなアルミ製の「Ｕ」字型のもので、「Ｕ」字の溝は、基板２６、ヒーター１８、電極及び絶縁フィルム２５を挟んで、それらを密に密着させるような幅の狭いもので形成されている。さらに、「Ｕ」字の上端を左右に少し延長させて放熱面を形成し、その放熱面を円筒２１の上方に接触させることにより、コテ板１２が圧着する部分に最も高い温度を出力できるようにしてある。このようにすることにより、効率的に加熱した効果を髪に与えられるようにしてセットが上手くできるように工夫してある。
【００２６】
さらに、この放熱板２４は、回路のグランドラインＧＮＤと接続することにより、円筒２１をグランドレベルにすることができるようにしてある。
【００２７】
針電極２０は、図２のように、前記基板２６のヒーターユニット２２よりも先端方向に設けた取り付け孔２７に、ここでは、２本の針先を１８０°逆向きにして、図５のように、円筒２１の内壁に対向させるようにしてハトメあるいはネジなどで取り付けてある。その際、基板２６に１８０°逆向に取り付けた双方の針先と円筒２１のスリット２３とが対向し、かつ、対向する双方の針先から円筒２１までのそれぞれの距離が等しくなるように、前記基板２６の寸法を決めてある。
【００２８】
すなわち、前記基板２６は、長尺状のもので図２のように先端近傍まで達する大きさとし、その幅は円筒２１の内径の直径と略同じか少し小さめに形成することにより、円筒２１の中に挿通した際に円筒２１の断面の略中央に自動的に配置されるようにしてある。
【００２９】
このような構成を用いたことにより、基板２６は図２のように、ハンドル１１に形成したスリーブ２８に基板２６を挿入して保持させ、円筒２１を嵌入すれば、所定の取り付け精度で組立てられるようにしてある。
【００３０】
この針電極２０は、前述のように、高電圧発生手段１９の高電圧側出力と接続し、高電圧を印加する。
【００３１】
なお、この形態では、針電極２０が２本の場合について述べたが、これに限定されるものではなく、１本以上であればよく、１本以上のｎ本にして、ｎ本の針先を（３６０°／ｎ）度の間隔で、各針先が円筒の内周と対向するように円筒断面の略中央に配置すれば、その本数に応じて円筒２１との間で、マイナスイオンの発生を増加させることができる。したがって、このようにマイナスイオンを増加させられると考えられるので、マイナスイオンの必要量に応じて針電極２０の本数を適宜設定すればよい。
【００３２】
この円筒２１の先端には、キャップ２９を取り付けるためのトップキャップベース３０が取り付けられている。
【００３３】
トップキャップベース３０は、難燃性の樹脂を成形したもので、図２のように、円筒形の嵌入部の上部に前記嵌入部よりも大径に形成したツバ状の係止部を形成したものである。
【００３４】
前記嵌入部は外径を円筒２１の内径とほぼ同じ径に形成し、係止部は外形を円筒の外径とほぼ同じ大きさに形成してある。また、その係止部の中央に突部を形成し、その突部の中央に貫通孔を設けてある。この突部の貫通孔には段部が設けてあり、キャップ２９のネジ止め用の突起３１の端と当接するようにしてある。
【００３５】
一方、前記キャップ２９は、円錐形の内部を中空にして突起３１を設け、その突起３１にネジ溝を形成するとともに、前記突起３１を中心にして（図では分かり難いが）ストパー片を９０°間隔で十字に形成してスプリングの係止ができるようにしてある。
【００３６】
このように形成されたトップキャップベース３０とキャップ２９とは、トップキャップベース３０の嵌入部側から難燃性の樹脂で形成したブッシュを介して木ねじを挿通し、挿通された木ねじの係止部の突部にスプリングを嵌めてキャップ２９をネジ止めすることにより、キャップ２９をスプリングで外向きに付勢してトップキャップベース３０との接触を少なくしてスムースに回転できるようにしてある。
【００３７】
また、このとき、前記円錐形のキャップ２９には、両側に凹部を設けてツマミ形に形成し、その凹部を指先で摘んでシッカリと支持できるようにしてある。
【００３８】
この形態は、上記のように構成されており、この形態のヘアーアイロンでは、一方の手でハンドル１１を持ち、例えば、電源スイッチ１６をオンにしてヒーター１８を加熱する。次に、マイナスイオン発生スイッチ１７をオンにして高電圧発生手段１９を作動する。すると、高電圧発生手段１９から高電圧が針電極２０と円筒２１間に印加され、マイナスイオン３２が発生する。発生したマイナスイオン３２は、図６のように円筒２１のスリット２３を介して円筒２１の内部から外部へ放出される。
【００３９】
いま、ハンドル１１を持った手の指でコテ板１２のレバー部１２ｂを押してコテ面１２ａを開き、その開いたコテ板１２のコテ面１２ａと発熱部１０の発熱面１３との間に髪を入れ、コテ板１２のレバー部１２ｂを放して髪を挟む。次に、残りの他方の手で発熱部１０の先端のキャップ２９を摘む。その際、凹部が指に合致してシッカリと支持できるので、ハンドル１１を回して髪を巻き付ける。この間、円筒２１の発熱面１３からはスリット２３を介してマイナスイオン３２が放出されているので、巻き付けた髪の内側から外側へとマイナスイオン３２が広がり、髪全体にマイナスイオン３２を十分に行き渡らせることができる。
【００４０】
そのため、髪の損傷を抑えるとともに、髪をサラサラにしてセットをやりやすく、しかも、セットの持ちを良くすることができる。
【００４１】
また、一方、髪を梳かすようにして髪に当てた場合でも、円筒２１に設けた複数のスリット２３から周に沿ってマイナスイオン３２が放出されるので、髪全体にマイナスイオンを十分に行き渡らせることができる。
【００４２】
そのため、髪の損傷を抑えるとともに、髪をサラサラにしてセットをやりやすく、しかも、セットの持ちを良くすることができる。
【００４３】
このように、髪を梳いたり、髪を巻き付けたりというどちらの使い方でもマイナスイオン３２を髪全体に行き渡らせることができる。
【図面の簡単な説明】
【００４４】
【図１】実施形態の正面図
【図２】実施形態の縦断面図
【図３】実施形態の回路図
【図４】実施形態の要部の縦断面図
【図５】実施形態の要部の縦断面図
【図６】実施形態の作用説明図
【図７】従来例の正面図
【符号の説明】
【００４５】
１０  発熱部
１１  ハンドル
１３  発熱面
１９  高電圧発生手段
２０  針電極
２１  円筒
２３  スリット
３２  マイナスイオン
【図１】
2006204369.tif 000003
【図２】
2006204369.tif 000004
【図３】
2006204369.tif 000005
【図４】
2006204369.tif 000006
【図５】
2006204369.tif 000007
【図６】
2006204369.tif 000008
【図７】
2006204369.tif 000009